(57)【要約】  【課題】  アップライト式吸引掃除機の排気流路は、フィルター付集塵タンクと蓋体内部を流通する第２流路部と、第２流路部と連通し排出口から清浄空気を排出する第１流路に加え、モーター自体の冷却路を付設しているため、排気に高出力のモーターを用いている。  【解決手段】  ターボブロアを内蔵したファンケースを、集塵タンクの上部開口へ嵌脱自在に被せ、その側壁に排気口を設け、その上部開口を覆う天板に通気孔を設けて吸気用モータを載置し、その周璧に通気孔を設け、且つモータカバーを被せると共に、通気窓を設けた蓋体をファンケースに嵌脱自在に被せ、通気窓からの吸引空気が、吸気用モータを冷却すると共に、ターボブロアの作動による主吸引空気流の作用で、ファンケースの天板の通気孔に発生する誘引空気流により、ファンケースの排気口から吸気用モータの冷却空気流と、清浄な主吸引空気流を合流させ排出する。  【選択図】  図３
2007014520.tif 000002
【特許請求の範囲】
【請求項１】
集塵タンクの側壁に吸込口を、その内部にフィルターを備えた吸塵機において、ターボブロアを内蔵しているファンケースを、集塵タンクの上部開口へ嵌脱自在に被せると共にフアンケースの側壁に排気口を設け、ファンケースの上部開口を覆う天板に通気孔を設け、且つ、周壁に通気孔を設けた吸気用モータを天板に載置し、モータカバーを吸気用モータに被せると共に、通気窓を設けた蓋体をファンケースに嵌脱自在に被せ、通気窓から吸込まれる外気が、吸気用モータの内部と通気孔から流出して吸気用モータを冷却すると共に、ターボブロアの作動による主吸引空気流の作用で、天板の通気孔に発生する誘引空気流により、ファンケースの排気口から吸気用モータの冷却空気流と、清浄な主吸引空気流を合流させ排出することを特徴とする吸塵機。  
【発明の詳細な説明】
【技術分野】
【０００１】
本発明は、建設現場や工場等において発生する粉塵の吸塵機に関する。
【背景技術】
【０００２】
従来、吸込み力を発生する真空発生装置を掃除機本体の下部に取り付け、吸込口と、浄化された空気を排出する排出口を掃除機本体の側部に設け、吸込まれた空気中に含まれる埃、水、汚物を分離収去する、フィルターを備えた汚物収去筒を掃除機本体の内部に着脱自在に設け、掃除機本体の上部開口を被う、重量を軽減した蓋体を開閉自在に取り付け、浄化された空気を排出する前記排気流路と、真空発生装置を構成するバイパスモーターを経由するモーター冷却流路を合流させて排出口から外部へ排気し、軽量の蓋体を開閉し易いようにした湿乾式掃除機がある。（例えば、特許文献１参照。）
【特許文献１】特開２００４ー１１３７６０号公報。（図５）
【発明の開示】
【発明が解決しようとする課題】
【０００３】
前記発明に係るバイパスモーターの排気流路は、フィルターを備えた汚物収去筒及び蓋体内部を流通する第２流路部と、第２流路部と連通し排出口から清浄空気を排出する第１流路部を設けると共に、バイパスモーター自体を冷却するバイパスモーター冷却路を付設しているため、排気に高出力のバイパスモーターを用いることを要する問題点がある。
【０００４】
そこで本発明は、吸気用モータとターボブロアを併設し、ターボブロアの作用による、フィルターで粉塵が捕集された清浄な主吸引空気の流れと、吸気用モータの作用によるモータ冷却空気の流れを、誘引空気の発生により合流させて排出することを目的とする。
【課題を解決するための手段】
【０００５】
本発明は、本体の側壁に吸込口を、集塵タンクの内部にフィルターを備えた吸塵機において、ターボブロアを内蔵している筒状のファンケースを、集塵タンクの上部開口へ嵌脱自在に被せると共にフアンケースの側壁に排気口を設け、ファンケースの上部開口を覆う天板に通気孔を設けて吸気用モータを載置し、周璧に通気孔を設けた吸気用モータにモータカバーを被せると共に、通気窓を設けた蓋体をファンケースに嵌脱自在に被せ、通気窓から吸込まれる外気が、吸気用モータの内部とモータ周壁に設けた通気孔から放出して吸気用モータを冷却すると共に、ターボブロアの作動による主吸引空気流の作用で、ファンケースの天板の通気孔に発生する誘引空気流により、ファンケースの排気口から吸気用モータの冷却空気流と、清浄な主吸引空気流を合流させ排出するのである。
【発明の効果】
【０００６】
建設現場や工場等において発生する粉塵が、吸込口からのターボブロアによる主吸引空気の作用で、フィルター筒体を備えた集塵タンク内へ集積する。
【０００７】
空気中の細塵はフィルターで補集されて清浄な空気がファンケースの排気口から外部へ排出される。
【０００８】
通気窓から吸込まれる外気は、吸気用モータの内部を通過しモータ側壁に設けた通気口から放出され、吸気用モータを冷却する。
【０００９】
吸気用モータを冷却した空気は、天板に設けた通気孔からファンケース内へ、ターボブロアによる主吸引空気の誘引作用により合流してファンケースの排気口から外部へ排出される。
【発明を実施するための最良の形態】
【００１０】
図１は本発明を示す正面図、図２は同斜視図、図３は一部破断正面図、図４は吸塵機本体から蓋体を取り外し、吸引空気の流路を示す斜視図、図５は吸気用モータにカバーを被せ、冷却空気を蓋体内から漏洩しないようにした状態を示す斜視図、図６は吸塵機本体から蓋体を取り外し、吸込口から粉塵を吸引して粗塵は集塵タンク内へ堆積させ、細塵はフィルタで集塵させて清浄な空気をターボブロアによる主吸引空気の誘引作用でファンケース内へ送出する状態を示す斜視図、図７はファンケースを示す底面図である。
【００１１】
吸塵機本体１の側壁１ａに、建設現場や工場内の切削物を含んだ粉塵を吸引する吸込口２を設ける。フィルター群３ａを列設しているフィルター筒体３を側壁１ａと空間部を保持して集塵タンク４内に立設し、集塵タンク４の上部開口へファンケース５を嵌脱自在に被せ、取付け金具６で固定する。短筒状のファンケース５は、中央に螺孔７ａを設けた底板７と、中央部に開口８ａを設けたドーナツ形の天板８と、開口８ａを被う覆板９とからなり、螺孔７ａと覆板９の中央にわたりターボブロア１０を回転自在に支持する中心軸１１を架設する。フアンケース５の側壁に、ターボブロア１０の主誘引空気を排出する排気口５ａを設けると共に、排気口５ａからの排気を遮断し下方へ吹き出させる邪魔板５ｂを屈曲して設ける。覆板９に複数の通気孔９ａを設けると共に覆板９上に、放射状の突出部を設けた架台１３を取り付けて吸気用モータ１２を載せ、吸気用モータ１２の周璧に複数の通気孔１２ａを設け、覆板９の通気孔９ａと吸気用モータ１２にモータケース１２ｂを被せる。複数の通気窓１４ａを設けた蓋体１４をファンケース５に嵌脱自在に被せ、通気窓１４ａから吸込まれる外気を、吸気用モータ１２の内部を通過させ、更にモータ周壁に設けた通気孔１２ａから機外へ放出させて、吸気用モータ１２を冷却する。機外へ放出された空気は、吸込口２からのターボブロア１０による主吸引空気流で、覆板９に設けた通気孔９ａに発生する誘引空気流によりファンケース５の排気口５ａから、モータの冷却空気流と主吸引空気流とが合流して排出されるのである。
【００１２】
図中、１５はファンケースパッキン、１６はファンケース提手用の円環である。
【産業上の利用可能性】
【００１３】
建設現場や工場等において発生する切屑を含む粉塵が、吸込口からのターボブロアによる主吸引空気の作用で、フィルター筒体を備えた集塵タンク内へ集積し、吸引空気中の細塵はフィルターで補集され、無害の清浄空気がファンケースの排気口から外部へ排出され、建設現場や工場等の環境保全に役立つ。
【図面の簡単な説明】
【００１４】
【図１】本発明を示す正面図。
【図２】同、斜視図。
【図３】同、一部破断正面図。
【図４】吸塵機本体から蓋体を取り外し、吸引空気の流路を示す斜視図。
【図５】吸気用モータにカバーを被せ、冷却空気を蓋体内から漏洩しないようにした状態を示す斜視図。
【図６】吸塵機本体から蓋体を取り外し、吸込口から粉塵を吸引して粗塵は集塵タンク内へ堆積させ、細塵はフィルタで集塵させて清浄な空気をターボブロアによる主吸引空気の誘引作用でファンケース内へ送出する状態を示す斜視図。
【図７】ファンケースを示す底面図。
【符号の説明】
【００１５】
１    吸塵機本体    ２    吸込口    ３    フィルター筒体    
４    集塵タンク    ８    天板    ９    覆板    ９ａ    通気孔
１０    ターボブロア    １２    吸気用モータ    １２ａ    通気孔
１４    蓋体    １４ａ    通気窓      
【図１】
2007014520.tif 000003
【図２】
2007014520.tif 000004
【図３】
2007014520.tif 000005
【図４】
2007014520.tif 000006
【図５】
2007014520.tif 000007
【図６】
2007014520.tif 000008
【図７】
2007014520.tif 000009